(57)【要約】【課題】サージ電圧特性を低下させることなく、巻線内電位分布を改善する。【解決手段】実施形態によれば、静止誘導電気機器１００は巻線導体の巻回軸方向に層状に形成された複数のセクションと巻線導体間に巻き込んだターンシールド導体とを備える。各セクションは、第１のターンシールド導体２１、２３、２５、２７を巻き込んだ第１の列の円板状の巻線１、３、５、７と、第２のターンシールド導体２２、２４、２６、２８を巻き込んだ第２の列の円板状の巻線２、４、６、８を有する。隣接セクション内の第１の列の巻線同士は内側または外側において第１列折り返し部４１ａ、４３ｂ、４５ａにより接続され、第２の列の巻線同士は内側または外側において第２列折り返し部４２ａ、４４ｂ、４６ａにより接続される。隣接するセクション内の各第１のターンシールド導体同士および第２のターンシールド導体同士は電気的に接続される。【選択図】図１
2016004950.tif 000002
【特許請求の範囲】
【請求項１】
巻線導体の巻回軸方向に層状に形成された複数のセクションと、
前記巻線導体それぞれの間に巻き込んだターンシールド導体と、
を備えた静止誘導電気機器において、
前記セクションのそれぞれは、
絶縁被覆された前記巻線導体を内径側から外径側に巻回して第１のターンシールド導体を巻き込んだ第１の列の円板状の巻線と、
絶縁被覆された前記巻線導体を外径側から内径側に巻回して第２のターンシールド導体を巻き込んだ第２の列の円板状の巻線と、
を有し、
互いに隣接する前記セクション内のそれぞれの前記第１の列の円板状の巻線同士は内側または外側において第１列折り返し部により接続され、
互いに隣接する前記セクション内のそれぞれの前記第２の列の円板状の巻線同士は内側または外側において第２列折り返し部により接続され、
互いに隣接する２つの前記セクション内のそれぞれの前記第１のターンシールド導体同士は電気的に接続され、
互いに隣接する２つの前記セクション内のそれぞれの前記第２のターンシールド導体同士は電気的に接続されている、
ことを特徴とする静止誘導電気機器。
【請求項２】
前記第１のターンシールド導体は第１の列において複数段配されており、前記第２のターンシールド導体は前記第２の列において複数段配されていることを特徴とする請求項１に記載の静止誘導電気機器。
【請求項３】
前記セクションのそれぞれにおいて、巻回軸方向の前記第１の列と前記第２の列とを互いに密着したことを特徴とする請求項１または請求項２に記載の静止誘導電気機器。
【請求項４】
巻線導体の巻回軸方向に層状に形成された複数のセクションと、前記巻線導体それぞれの間に巻き込んだターンシールド導体とを備えた静止誘導電気機器において、
前記セクションのそれぞれは、
絶縁被覆された前記巻線導体を内径側から外径側に巻回して前記ターンシールド導体を一部に収納する第１の列の円板状の巻線と、
絶縁被覆された前記巻線導体を外径側から内径側に巻回して前記ターンシールド導体を一部に収納する第２の列の円板状の巻線と、
互いに隣接する前記セクションの前記第１の列の円板状の巻線の内側同士または外側同士を接続するセクション折り返し部と、
を有することを特徴とする静止誘導電気機器。
【発明の詳細な説明】
【技術分野】
【０００１】
本発明の実施形態は、静止誘導電気機器に関する。
【背景技術】
【０００２】
従来から、電力用変圧器やリアクトルなどの静止誘導電気機器の巻線においては、絶縁性能の向上、小型化、低価格化という相容れない大きな問題を抱えている。
【０００３】
このうち、巻線内部、特にセクション間の絶縁性能を向上させる方法として、巻線自体の耐電圧性能を向上させる方法と、雷サージ侵入時にセクション間に発生する電圧を抑制する方法とがある。
【０００４】
ここでは、セクション間に発生する電圧を抑制する方法について説明する。すなわち、雷サージ侵入等の場合に巻線のセクション間に発生する電圧は、巻線の対地間の静電容量と巻線の直列静電容量との平方根の比で決まる値に比例することが知られている。
【０００５】
このため、試験電圧の高い巻線では巻線の直列静電容量を大きくするために、巻線導体間にターンシールドと呼ばれる導体を巻き込んで使用するのが常であった。
【先行技術文献】
【特許文献】
【０００６】
【特許文献１】特開２０００−７７２３７号公報
【特許文献２】特開２０００−２６９０４８号公報
【発明の概要】
【発明が解決しようとする課題】
【０００７】
しかし、１セクション当たりのターン数が少ない巻線においては、ターンシールド入り巻線を適用しても巻線内電位分布を改善するのに十分な直列静電容量を得ることができず、場合によっては雷などのサージ電圧が侵入した際に絶縁破壊に至る恐れがある。
【０００８】
この対策として、セクション間の油道を大きくすることで絶縁性能を向上することが挙げられるが、巻線高さが高くなり、銅重量が増大するため経済的なデメリットがあった。
【０００９】
そこで、本発明の実施形態は、１セクション当たりのターン数が少ない巻線においても、巻線内電位分布を改善し、サージ電圧特性を低下させることなく、静止誘導電気機器の小型化、軽量化を可能とすることを目的とする。
【課題を解決するための手段】
【００１０】
上述の目的を達成するため、本発明の実施形態は、巻線導体の巻回軸方向に層状に形成された複数のセクションと、前記巻線導体それぞれの間に巻き込んだターンシールド導体と、を備えた静止誘導電気機器において、前記セクションのそれぞれは、絶縁被覆された前記巻線導体を内径側から外径側に巻回して第１のターンシールド導体を巻き込んだ第１の列の円板状の巻線と、絶縁被覆された前記巻線導体を外径側から内径側に巻回して第２のターンシールド導体を巻き込んだ第２の列の円板状の巻線と、を有し、互いに隣接する前記セクション内のそれぞれの前記第１の列の円板状の巻線同士は内側または外側において第１列折り返し部により接続され、互いに隣接する前記セクション内のそれぞれの前記第２の列の円板状の巻線同士は内側または外側において第２列折り返し部により接続され、互いに隣接する２つの前記セクション内のそれぞれの前記第１のターンシールド導体同士は電気的に接続され、互いに隣接する２つの前記セクション内のそれぞれの前記第２のターンシールド導体同士は電気的に接続されている、ことを特徴とする。
【００１１】
また、本発明の実施形態は、巻線導体の巻回軸方向に層状に形成された複数のセクションと、前記巻線導体それぞれの間に巻き込んだターンシールド導体とを備えた静止誘導電気機器において、前記セクションのそれぞれは、絶縁被覆された前記巻線導体を内径側から外径側に巻回して前記ターンシールド導体を一部に収納する第１の列の円板状の巻線と、絶縁被覆された前記巻線導体を外径側から内径側に巻回して前記ターンシールド導体を一部に収納する第２の列の円板状の巻線と、互いに隣接する前記セクションの前記第１の列の円板状の巻線の内側同士または外側同士を接続するセクション折り返し部と、を有することを特徴とする。
【発明の効果】
【００１２】
本発明の実施形態によれば、１セクション当たりのターン数が少ない巻線においても、巻線内電位分布を改善し、サージ電圧特性を低下させることなく、静止誘導電気機器の小型化、軽量化が可能である。
【図面の簡単な説明】
【００１３】
【図１】第１の実施形態に係る静止誘導電気機器の巻線の構成を示す断面図である。
【図２】第１の実施形態に係る静止誘導電気機器の各列の巻線の方向の関係を示す概念図である。
【図３】第２の実施形態に係る静止誘導電気機器の巻線の構成を示す断面図である。
【図４】第３の実施形態に係る静止誘導電気機器の巻線の構成を示す断面図である。
【図５】第４の実施形態に係る静止誘導電気機器の巻線の構成を示す断面図である。
【発明を実施するための形態】
【００１４】
以下、図面を参照して本発明の実施形態に係る静止誘導電気機器について説明する。ここで、互いに同一または類似の部分には、共通の符号を付して、重複説明は省略する。
【００１５】
［第１の実施形態］
図１は、第１の実施形態に係る静止誘導電気機器の巻線の構成を示す断面図である。内側絶縁筒５０が巻回軸方向に延びている。内側絶縁筒５０の周囲に、巻回軸方向に層状に、第１セクションＳ１、第２セクションＳ２、第３セクションＳ３、第４セクションＳ４が積層されている。
【００１６】
第１セクションＳ１は、第１列の巻線１および第２列の巻線２を有する。第１列の巻線１は、第１列の巻線導体１１が内側絶縁筒５０の外面から外側に向けて円板状に巻回されている。第１列の巻線導体１１の巻回の途中から第１列内ターンシールド導体２１が第１列の巻線導体１１に巻き込まれた状態で内側から外側に延びている。
【００１７】
第２列の巻線２は、第２列の巻線導体１２が内側絶縁筒５０の外面から外側に向けて円板状に巻回されている。第２列の巻線導体１２の巻回の途中から第２列内ターンシールド導体２２が第２列の巻線導体１２に巻き込まれた状態で内側から外側に延びている。
【００１８】
なお、図１は説明のための図であり、巻線の巻回数は、図示は現実の巻回数を示すものではない。
【００１９】
第２セクションＳ２は、第３列の巻線３および第４列の巻線４を有する。第３列の巻線３は、第３列の巻線導体１３が内側絶縁筒５０の外面から外側に向けて円板状に巻回されている。第３列の巻線導体１３の巻回の途中から第３列内ターンシールド導体２３が第３列の巻線導体１３に巻き込まれた状態で内側から外側に延びている。
【００２０】
第４列の巻線４は、第４列の巻線導体１４が内側絶縁筒５０の外面から外側に向けて円板状に巻回されている。第４列の巻線導体１４の巻回の途中から第４列内ターンシールド導体２４が第４列の巻線導体１４に巻き込まれた状態で内側から外側に延びている。
【００２１】
第１列の巻線導体１１と第３列の巻線導体１３とは第１列巻線外側折り返し部４１ａで接続されている。すなわち、第１列の巻線導体１１と第３列の巻線導体１３とは連続した導体であり、第１列の巻線導体１１は内側から外側に向けて巻回され最外周に至った後に、第１列巻線外側折り返し部４１ａにおいて折り返されて、第３列の巻線導体１３として外側から内側に向けて巻回されている。
【００２２】
同様に、第２列の巻線導体１２と第４列の巻線導体１４とは連続した導体であり、第２列の巻線導体１２は内側から外側に向けて円板状に巻回され最外周に至った後に、第２列巻線外側折り返し部４２ａにおいて折り返されて、第４列の巻線導体１４として外側から内側に向けて円板状に巻回されている。
【００２３】
第１列内ターンシールド導体２１と第３列内ターンシールド導体２３とは、それぞれの最外周同士が、第１列ターンシールド導体折り返し部５１によって接続されている。また、第２列内ターンシールド導体２２と第４列内ターンシールド導体２４とは、それぞれの最外周同士が、第２列ターンシールド導体折り返し部５２によって接続されている。
【００２４】
以上が、第１セクションＳ１と第２セクションＳ２の構成である。第３セクションおよび第４セクションについても同様の構成である。具体的には、以下のとおりである。
【００２５】
第３セクションＳ３は、第５列の巻線５および第６列の巻線６を有する。第５列の巻線５は、第５列の巻線導体１５が内側絶縁筒５０の外面から外側に向けて巻回されている。第５列の巻線導体１５の巻回の途中から第５列内ターンシールド導体２５が第５列の巻線導体１５に巻き込まれた状態で内側から外側に延びている。
【００２６】
第６列の巻線６は、第６列の巻線導体１６が内側絶縁筒５０の外面から外側に向けて巻回されている。第６列の巻線導体１６の巻回の途中から第６列内ターンシールド導体２６が第６列の巻線導体１６に巻き込まれた状態で内側から外側に延びている。
【００２７】
第４セクションＳ４は、第７列の巻線７および第８列の巻線８を有する。第７列の巻線７は、第７列の巻線導体１７が内側絶縁筒５０の外面から外側に向けて巻回されている。第７列の巻線導体１７の巻回の途中から第７列内ターンシールド導体２７が第７列の巻線導体１７に巻き込まれた状態で内側から外側に延びている。
【００２８】
第８列の巻線８は、第８列の巻線導体１８が内側絶縁筒５０の外面から外側に向けて巻回されている。第８列の巻線導体１８の巻回の途中から第８列内ターンシールド導体２８が第８列の巻線導体１８に巻き込まれた状態で内側から外側に延びている。
【００２９】
第５列の巻線導体１５と第７列の巻線導体１７とは第５列巻線外側折り返し部４５ａで接続されている。すなわち、第５列の巻線導体１５と第７列の巻線導体１７とは連続した導体であり、第５列の巻線導体１５は内側から外側に向けて巻回され最外周に至った後に、第５列巻線外側折り返し部４５ａにおいて折り返されて、第７列の巻線導体１７として外側から内側に向けて巻回されている。
【００３０】
同様に、第６列の巻線導体１６と第８列の巻線導体１８とは連続した導体であり、第６列の巻線導体１６は内側から外側に向けて巻回され最外周に至った後に、第６列巻線外側折り返し部４６ａにおいて折り返されて、第８列の巻線導体１８として外側から内側に向けて巻回されている。
【００３１】
第５列内ターンシールド導体２５と第７列内ターンシールド導体２７とは、それぞれの最外周同士が、第５列ターンシールド導体折り返し部５５によって接続されている。また、第６列内ターンシールド導体２６と第８列内ターンシールド導体２８とは、それぞれの最外周同士が、第６列ターンシールド導体折り返し部５６によって接続されている。
【００３２】
また、第２セクションＳ２と第３セクションＳ３のそれぞれの導体間も接続されている。すなわち、第３列の巻線導体１３は、最内周において第３列巻線内側折り返し部４３ｂで第５列の巻線導体１５とつながっており、導体が連続している。同様に、第４列の巻線導体１４は、最内周において第４列巻線内側折り返し部４４ｂで第６列の巻線導体１６とつながっており、導体が連続している。
【００３３】
したがって、第１列の巻線導体１１、第３列の巻線導体１３、第５列の巻線導体１５および第７列の巻線導体１７は、連続した導体である。同様に、第２列の巻線導体１２、第４列の巻線導体１４、第６列の巻線導体１６および第８列の巻線導体１８は、連続した導体である。これらの導体は、並列のコイルを形成している。
【００３４】
なお、本実施形態では、セクションが第１セクションＳ１〜第４セクションＳ４の４つのセクションの場合を示したが、セクションの数は４つに限定されない。４つ未満あるいは、５つ以上でもよい。
【００３５】
本実施形態では、全体として並列に接続された２つの巻線導体が、第１セクションＳ１〜第４セクションＳ４それぞれのセクションにおいて２つの列を構成している。それぞれのセクションにおけるこの２つの列を第１の列の巻線および第２の列の巻線と呼び、それぞれの列の次の列との接続部、すなわち折り返し部を第１列折り返し部および第２列折り返し部と呼ぶこととする。
【００３６】
具体的には、第１セクションＳ１においては、第１列の巻線１が第１の列の巻線、第２列の巻線２が第２の列の巻線、第２セクションＳ２においては、第３列の巻線３が第１の列の巻線、第４列の巻線４が第２の列の巻線、第３セクションＳ３においては、第５列の巻線５が第１の列の巻線、第６列の巻線６が第２の列の巻線、第４セクションＳ４においては、第７列の巻線７が第１の列の巻線、第８列の巻線８が第２の列の巻線である。
【００３７】
また、各列の巻線を接続する折り返し部を、第１の列同士については第１列折り返し部、第２の列同士については第２列折り返し部と呼ぶこととする。具体的には、第１列の巻線同士を接続する第１列巻線外側折り返し部４１ａ、第３列巻線内側折り返し部４３ｂおよび第５列巻線外側折り返し部４５ａが第１列折り返し部、また、第２列巻線外側折り返し部４２ａ、第４列巻線内側折り返し部４４ｂおよび第６列巻線外側折り返し部４６ａが第２列折り返し部である。
【００３８】
この場合、互いに隣接するセクション内のそれぞれの第１の列の巻線同士は内側または外側において第１列折り返し部により接続され、また、互いに隣接するセクション内のそれぞれの第２の列の巻線同士は内側または外側において第２列折り返し部により接続されている。これらの互いに隣接するセクション内のそれぞれの巻線同士が内側または外側において接続されている部分をセクション折り返し部とよぶこととする。
【００３９】
また、それぞれのセクションにおいて、第１の列に巻き込まれたターンシールド導体を第１のターンシールド導体、第２の列に巻き込まれたターンシールド導体を第２のターンシールド導体とよぶこととする。
【００４０】
この場合、互いに隣接する２つのセクション内のそれぞれの第１のターンシールド導体同士は電気的に接続され、また、互いに隣接する２つの前記セクション内のそれぞれの前記第２のターンシールド導体同士は電気的に接続されている。
【００４１】
図２は、第１の実施形態に係る静止誘導電気機器の各列の巻線の方向の関係を示す概念図である。図２では、各セクションの第１の列の巻線導体すなわち、第１列の巻線導体１１、第３列の巻線導体１３、第５列の巻線導体１５および第７列の巻線導体１７の巻回の方向と各導体間の接続を示している。
【００４２】
第１列の巻線導体１１および第５列の巻線導体１５は、上方から見ると反時計回りに内側から外側に向けて巻回されている。第３列の巻線導体１３および第７列の巻線導体１７は、上方から見ると反時計回りに外側から内側に向けて巻回されている。
【００４３】
第１列の巻線導体１１と第３列の巻線導体１３との間は第１列巻線外側折り返し部４１ａによって接続されている。第５列の巻線導体１５と第７列の巻線導体１７との間は第５列巻線外側折り返し部４５ａによって接続されている。
【００４４】
また、第３列の巻線導体１３と第５列の巻線導体１５との間は第３列巻線内側折り返し部４３ｂによって接続されている。
【００４５】
各セクションの第２の列の巻線導体についても同様である。すなわち、第２列の巻線導体１２および第６列の巻線導体１６は、上方から見ると反時計回りに内側から外側に向けて巻回されている。第４列の巻線導体１４および第８列の巻線導体１８は、上方から見ると反時計回りに外側から内側に向けて巻回されている。
【００４６】
第２列の巻線導体１２と第４列の巻線導体１４との間は第４列巻線外側折り返し部４２ａによって接続されている。第６列の巻線導体１６と第８列の巻線導体１８との間は第６列巻線外側折り返し部４６ａによって接続されている。
【００４７】
また、第４列の巻線導体１４と第６列の巻線導体１６との間は第４列巻線内側折り返し部４４ｂによって接続されている。
【００４８】
このように構成されている結果、第１列の巻線導体１１ないし第８列の巻線導体１８の巻回軸まわりの電流の向きは全て同一方向となり、この、それぞれの列における電流により、巻回軸の同一方向に磁力線の方向が形成される。
【００４９】
以上のように構成された本実施形態においては、第１の列の巻線と第２の列の巻線がそれぞれのセクションを構成しており、並列の電流路となっている。すなわち、必要な磁界を形成するためのコイル数が２倍となっていることになり、並列でない場合に比べて、径方向に巻回する回数が軽減される。
【００５０】
この結果、静止誘導電気機器１００の形状については、径方向にコンパクトにすることができ、設置スペースの制限のある変電所等での配置設計上の負担が軽減される。
【００５１】
また、本実施形態においては、それぞれのセクションのターンシールド導体、すなわち第１のターンシールド導体および第２のターンシールド導体は、そのセクションに隣接するセクションの第１のターンシールド導体および第２のターンシールド導体にそれぞれ電気的に接続されている。
【００５２】
巻線導体に巻き込まれるターンシールド導体に付与できる直列静電容量は、巻線導体の数に依存する。本実施形態においては、各セクション内に第１の列の巻線と第２の列の巻線と２つの巻線を備え、互いに隣接するセクション間で、ターンシールド導体を電気的に接続していることから直列静電容量が増大し、サージ特性を改善することができる。
【００５３】
［第２の実施形態］
図３は、第２の実施形態に係る静止誘導電気機器の巻線の構成を示す断面図である。本実施形態は、第１の実施形態の変形であり、各列の巻線導体は２つのターンシールド導体を巻き込んでいる。
【００５４】
すなわち、第１セクションＳ１については、第１列の巻線導体１１には、第１列内第１のターンシールド導体２１ａおよび第１列内第２のターンシールド導体２１ｂが巻き込まれている。第２列の巻線導体１２には、第２列内第１のターンシールド導体２２ａおよび第２列内第２のターンシールド導体２２ｂが巻き込まれている。
【００５５】
第２セクションＳ２については、第３列の巻線導体１３には、第３列内第１のターンシールド導体２３ａおよび第３列内第２のターンシールド導体２３ｂが巻き込まれている。第４列の巻線導体１４には、第４列内第１のターンシールド導体２４ａおよび第４列内第２のターンシールド導体２４ｂが巻き込まれている。
【００５６】
第１セクションＳ１の第１列内第１のターンシールド導体２１ａと第２セクションＳ２の第３列内第１のターンシールド導体２３ａとは第１列第１のターンシールド導体折り返し部５１ａによって電気的に接続されている。第１セクションＳ１の第１列内第２のターンシールド導体２１ｂと第２セクションＳ２の第３列内第２のターンシールド導体２３ｂとは第１列第２のターンシールド導体折り返し部５１ｂによって電気的に接続されている。
【００５７】
第１セクションＳ１の第２列内第１のターンシールド導体２２ａと第２セクションＳ２の第４列内第１のターンシールド導体２４ａとは第２列第１のターンシールド導体折り返し部５２ａによって電気的に接続されている。第１セクションＳ１の第２列内第２のターンシールド導体２２ｂと第２セクションＳ２の第４列内第２のターンシールド導体２４ｂとは第２列第２のターンシールド導体折り返し部５２ｂによって電気的に接続されている。
【００５８】
以上のように、第１の実施形態と同様にターンシールド導体が２列にまたがっているが、本実施形態においては、１列の中に２段のターンシールド導体が巻き込まれている。
【００５９】
このように構成された本実施形態においては、２列２段のターンシールド導体配置にすることで、巻線導体間に巻き込まれるターンシールド導体の数が２列１段のターンシールド導体配置よりも多くできる。
【００６０】
この結果、全体としての直列静電容量を増大させることができ、サージ特性をさらに改善することができる。
【００６１】
［第３の実施形態］
図４は、第３の実施形態に係る静止誘導電気機器の巻線の構成を示す断面図である。本実施形態は、第１の実施形態の変形である。
【００６２】
第１セクションＳ１ないし第４セクションＳ４のそれぞれのセクションにおいて、第１の実施形態においては、第１の列の巻線と第２の列の巻線との間には、冷却用の油の通路である油道として間隙を形成している。一方、本実施形態においては、第１の列の巻線と第２の列の巻線とを密着させて、油道を削除している。
【００６３】
第１の実施形態において説明したように、それぞれのセクションを構成している第１の列の巻線は電気的に互いに直列に接続されており、またそれぞれのセクションを構成している第２の列の巻線は電気的に互いに直列に接続されている。このように並列の電流路となっていることから、静止誘導電気機器１００全体として、発熱量も軽減されることから、各列の巻線を上下両方向から冷却する必要はなく、一方からの冷却で問題ない場合がある。このような場合は、本実施形態のように、各セクション内での油道を削除し、第１の列の巻線と第２の列の巻線とを密着させることができる。この結果、静止誘導電気機器１００の巻回軸方向の高さを削減することができる。
【００６４】
［第４の実施形態］
図５は、第４の実施形態に係る静止誘導電気機器の巻線の構成を示す断面図である。本実施形態は第３の実施形態の変形である。第３の実施形態における第１セクションＳ１における第１列内ターンシールド導体２１と第２列内ターンシールド導体２２は、それぞれ第１列の巻線導体１１と第２列の巻線導体１２によって同一方向に巻き込まれている。
【００６５】
第２セクションＳ２における第３列内ターンシールド導体２３と第４列内ターンシールド導体２４、第３セクションＳ３における第５列内ターンシールド導体２５と第６列内ターンシールド導体２６、第４セクションＳ４における第７列内ターンシールド導体２７と第８列内ターンシールド導体２８も、それぞれ同様に、同じ方向に巻き込まれている。
【００６６】
本実施形態においては、第３の実施形態において同一方向に巻き込まれているこれらのターンシールド導体を一体としたものである。すなわち、第３の実施形態における第１列内ターンシールド導体２１と第２列内ターンシールド導体２２に代えて第１セクション内ターンシールド導体３１、第３列内ターンシールド導体２３と第４列内ターンシールド導体２４に代えて第２セクション内ターンシールド導体３２、第５列内ターンシールド導体２５と第６列内ターンシールド導体２６に代えて第３セクション内ターンシールド導体３３、第７列内ターンシールド導体２７と第８列内ターンシールド導体２８に代えて第４セクション内ターンシールド導体３４としたものである。
【００６７】
第１セクション内ターンシールド導体３１と第２セクション内ターンシールド導体３２は、第１セクションターンシールド導体折り返し部６１によって接続されている。また、第３セクション内ターンシールド導体３３と第４セクション内ターンシールド導体３４は、第３セクションターンシールド導体折り返し部６３によって接続されている。
【００６８】
このように構成された本実施形態においては、コイルの組立ての際の作業性が向上し、低コストの静止誘導電器巻線を得ることができる。
【００６９】
［その他の実施形態］
以上、本発明のいくつかの実施形態を説明したが、これらの実施形態は、例として提示したものであり、発明の範囲を限定することは意図していない。
【００７０】
また、各実施形態の特徴を組み合わせてもよい。たとえば、各列に２段のターンシールド導体を用いる第２の実施形態の特徴と、各セクション内の第１の列の巻線と第２の列の巻線とを密着させる第３の実施形態の特徴を組み合わせてもよい。また、同一セクション内の２つの列におけるターンシールド導体を一体化する第４の実施形態の特徴を第１ないし第３の実施形態のそれぞれの特徴と組み合わせてもよい。
【００７１】
さらに、これらの実施形態は、その他の様々な形態で実施されることが可能であり、発明の要旨を逸脱しない範囲で、種々の省略、置き換え、変更を行うことができる。
【００７２】
これら実施形態やその変形は、発明の範囲や要旨に含まれると同様に、特許請求の範囲に記載された発明とその均等の範囲に含まれるものである。
【符号の説明】
【００７３】
１・・・第１列の巻線、２・・・第２列の巻線、３・・・第３列の巻線、４・・・第４列の巻線、５・・・第５列の巻線、６・・・第６列の巻線、７・・・第７列の巻線、８・・・第８列の巻線、１１・・・第１列の巻線導体、１２・・・第２列の巻線導体、１３・・・第３列の巻線導体、１４・・・第４列の巻線導体、１５・・・第５列の巻線導体、１６・・・第６列の巻線導体、１７・・・第７列の巻線導体、１８・・・第８列の巻線導体、２１・・・第１列内ターンシールド導体、２１ａ…第１列内第１のターンシールド導体、２１ｂ…第１列内第２のターンシールド導体、２２・・・第２列内ターンシールド導体、２２ａ…第２列内第１のターンシールド導体、２２ｂ…第２列内第２のターンシールド導体、２３・・・第３列内ターンシールド導体、２３ａ…第３列内第１のターンシールド導体、２３ｂ…第３列内第２のターンシールド導体、２４・・・第４列内ターンシールド導体、２４ａ…第４列内第１のターンシールド導体、２４ｂ…第４列内第２のターンシールド導体、２５・・・第５列内ターンシールド導体、２６・・・第６列内ターンシールド導体、２７・・・第７列内ターンシールド導体、２８・・・第８列内ターンシールド導体、３１・・・第１セクション内ターンシールド導体、３２・・・第２セクション内ターンシールド導体、３３・・・第３セクション内ターンシールド導体、３４・・・第４セクション内ターンシールド導体、４１ａ…第１列巻線外側折り返し部、４２ａ…第２列巻線外側折り返し部、４３ｂ…第３列巻線内側折り返し部、４４ｂ…第４列巻線内側折り返し部、４５ａ…第５列巻線外側折り返し部、４６ａ…第６列巻線外側折り返し部、５０…内側絶縁筒、５１…第１列ターンシールド導体折り返し部、５１ａ…第１列第１のターンシールド導体折り返し部、５１ｂ…第１列第２のターンシールド導体折り返し部、５２…第２列ターンシールド導体折り返し部、５２ａ…第２列第１のターンシールド導体折り返し部、５２ｂ…第２列第２のターンシールド導体折り返し部、５５…第５列ターンシールド導体折り返し部、５６…第６列ターンシールド導体折り返し部、６１…第１セクションターンシールド導体折り返し部、６３…第３セクションターンシールド導体折り返し部、１００…静止誘導電気機器、Ｓ１…第１セクション、Ｓ２…第２セクション、Ｓ３…第３セクション、Ｓ４…第４セクション
【図１】
2016004950.tif 000003
【図２】
2016004950.tif 000004
【図３】
2016004950.tif 000005
【図４】
2016004950.tif 000006
【図５】
2016004950.tif 000007